【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
システムであって、
超音波撮像シーケンスのビュー、及び前記ビューと測定のサブセットとの間のマッピングに基づき、心エコー測定のリストから測定のサブセットを決定する心エコー測定ツールを有する、システム。
【請求項２】
前記マッピングが、前記ビューから前記ビュー内の心臓の解剖学的構造の部分への第１のサブマッピング、及び前記ビュー内の心臓の解剖学的構造の部分から前記測定のサブセットへの第２のサブマッピングを含む、請求項１に記載のシステム。
【請求項３】
選択可能なリストにおける前記決定された測定のサブセット及び前記超音波撮像シーケンスの前記ビューを表示デバイスに表示するユーザインタフェースを更に含み、
前記測定ツールが、入力に基づき、前記入力により示された前記測定の表示されたサブセットにおける選択された測定に従って前記ビュー内の心臓の態様を測定する、請求項１に記載のシステム。
【請求項４】
前記超音波撮像シーケンスの分析から前記ビューを決定するシーケンスタグ付けユニットを更に含む、請求項１に記載のシステム。
【請求項５】
前記心エコー測定のリストが、ビュー及び測定の要素を含むルックアップテーブルとして格納される、請求項１に記載のシステム。
【請求項６】
前記測定のサブセットが、ユーザビリティ統計に基づき順序付けされる、請求項１に記載のシステム。
【請求項７】
前記第１のサブマッピングが、サブビューを含む、請求項２に記載のシステム。
【請求項８】
前記測定ツールが、前記測定のサブセットの少なくとも１つの測定を選択し、前記超音波撮像シーケンスのビューに自律的に適用する、請求項１に記載のシステム。
【請求項９】
方法において、
超音波撮像シーケンスのビュー及び前記ビューと測定のサブセットとの間のマッピングに基づき、心エコー検査測定のリストから測定のサブセットを決定するステップと、
選択可能なリストにおける前記決定された測定のサブセット及び前記超音波撮像シーケンスの前記ビューを表示デバイスに表示するステップと、
入力に基づき、前記入力により示された前記測定の表示されたサブセットにおける選択された測定に従って前記ビュー内の心臓の態様を測定するステップと、
を更に有する、方法。
【請求項１０】
前記マッピングが、前記ビューから前記ビュー内の心臓の解剖学的構造の部分への第１のサブマッピング、及び前記ビュー内の心臓の解剖学的構造の部分から前記測定のサブセットへの第２のサブマッピングを含む、請求項９に記載の方法。
【請求項１１】
前記表示するステップは、前記選択可能なリストにおける前記決定された測定のサブセットのみを表示し、前記選択可能なリストにおける前記測定の残りのものを表示しないことを含む、請求項９に記載の方法。
【請求項１２】
前記超音波撮像シーケンスの分析から前記ビューを決定するステップを更に含む、請求項９に記載の方法。
【請求項１３】
前記心エコー測定のリストが、ビュー及び測定の要素を含むルックアップテーブルとして格納される、請求項９に記載の方法。
【請求項１４】
前記測定の表示されるサブセットが、ユーザビリティ統計に基づき順序付けされる、請求項１１に記載の方法。
【請求項１５】
前記測定のサブセットの少なくとも１つの測定を選択し、前記超音波撮像シーケンスのビューに自律的に適用するステップを更に含む、請求項９に記載の方法。
【手続補正２】
【補正対象書類名】明細書
【補正対象項目名】００３９
【補正方法】変更
【補正の内容】
【００３９】
本発明が、好ましい実施形態を参照して説明されてきた。上記の詳細な説明を読み及び理解すると、第三者は、修正及び変更を思いつくことができる。本発明は、修正及び変更が添付の特許請求の範囲又はその均等の範囲内に入る限り、斯かる修正及び変更の全てを含むものとして構成されることが意図される。単語「有する」は他の要素又はステップを除外するものではなく、不定冠詞「ａ」又は「ａｎ」は複数性を除外するものではない。
以下、本発明の各種形態を付記する。
（付記１）
システムであって、
超音波撮像シーケンスのビュー、及び前記ビューと測定のサブセットとの間のマッピングに基づき、心エコー測定のリストから測定のサブセットを決定する心エコー測定ツールを有する、システム。
（付記２）
前記マッピングが、前記ビューから前記ビュー内の心臓の解剖学的構造の部分への第１のサブマッピング、及び前記ビュー内の心臓の解剖学的構造の部分から前記測定のサブセットへの第２のサブマッピングを含む、付記１に記載のシステム。
（付記３）
選択可能なリストにおける前記決定された測定のサブセット及び前記超音波撮像シーケンスの前記ビューを表示デバイスに表示するユーザインタフェースを更に含み、
前記測定ツールが、入力に基づき、前記入力により示された前記測定の表示されたサブセットにおける選択された測定に従って前記ビュー内の心臓の態様を測定する、付記１に記載のシステム。
（付記４）
前記超音波撮像シーケンスの分析から前記ビューを決定するシーケンスタグ付けユニットを更に含む、付記１に記載のシステム。
（付記５）
前記心エコー測定のリストが、ビュー及び測定の要素を含むルックアップテーブルとして格納される、付記１に記載のシステム。
（付記６）
前記測定のサブセットが、ユーザビリティ統計に基づき順序付けされる、付記１に記載のシステム。
（付記７）
前記第１のサブマッピングが、サブビューを含む、付記２に記載のシステム。
（付記８）
前記測定ツールが、前記測定のサブセットの少なくとも１つの測定を選択し、前記超音波撮像シーケンスのビューに自律的に適用する、付記１に記載のシステム。
（付記９）
方法において、
超音波撮像シーケンスのビュー及び前記ビューと測定のサブセットとの間のマッピングに基づき、心エコー検査測定のリストから測定のサブセットを決定するステップを有する、方法。
（付記１０）
前記マッピングが、前記ビューから前記ビュー内の心臓の解剖学的構造の部分への第１のサブマッピング、及び前記ビュー内の心臓の解剖学的構造の部分から前記測定のサブセットへの第２のサブマッピングを含む、付記９に記載の方法。
（付記１１）
選択可能なリストにおける前記決定された測定のサブセット及び前記超音波撮像シーケンスの前記ビューを表示デバイスに表示するステップと、
入力に基づき、前記入力により示された前記測定の表示されたサブセットにおける選択された測定に従って前記ビュー内の心臓の態様を測定するステップとを更に含む、付記９に記載の方法。
（付記１２）
前記超音波撮像シーケンスの分析から前記ビューを決定するステップを更に含む、付記９に記載の方法。
（付記１３）
前記心エコー測定のリストが、ビュー及び測定の要素を含むルックアップテーブルとして格納される、付記９に記載の方法。
（付記１４）
前記測定の表示されるサブセットが、ユーザビリティ統計に基づき順序付けされる、付記１１に記載の方法。
（付記１５）
前記測定のサブセットの少なくとも１つの測定を選択し、前記超音波撮像シーケンスのビューに自律的に適用するステップを更に含む、付記９に記載の方法。
（付記１６）
命令を搬送する非一時的コンピュータ可読記憶媒体であって、前記命令が、超音波撮像シーケンスのビュー及び前記ビューと測定のサブセットとの間のマッピングに基づき、心エコー検査測定のリストから測定のサブセットを決定するよう１つ又は複数のプロセッサを制御する、非一時的コンピュータ可読記憶媒体。
（付記１７）
前記１つ又は複数のプロセッサが更に、
選択可能なリストにおける前記決定された測定のサブセット及び前記超音波撮像シーケンスの前記ビューを表示デバイスに表示し、
入力に基づき、前記入力により示された前記測定の表示されたサブセットにおける選択された測定に従って前記ビュー内の心臓の態様を測定するよう制御される、付記１６に記載の非一時的コンピュータ可読記憶媒体。
（付記１８）
前記１つ又は複数のプロセッサが更に、
前記超音波撮像シーケンスの分析から前記ビューを決定するよう制御される、付記１６に記載の非一時的コンピュータ可読記憶媒体。
（付記１９）
前記心エコー測定のリストが、ビュー及び測定の要素を含むルックアップテーブルとして格納される、付記１６に記載の非一時的コンピュータ可読記憶媒体。
（付記２０）
前記１つ又は複数のプロセッサが更に、
前記測定のサブセットの少なくとも１つの測定を選択し、前記超音波撮像シーケンスのビューに自律的に適用するよう制御される、付記１６に記載の非一時的コンピュータ可読記憶媒体。